【事件の表示】
　平成　６年特許願第　５８１１２号「パチンコ機」拒絶査定不服審判事件〔平成　７年　９月１９日出願公開、特開平　７−２４１３７５〕について、次のとおり審決する。
【結　論】
　本件審判の請求は、成り立たない。
【理　由】
１．手続きの経緯
　本願は、平成６年３月２日の出願であって、平成１５年７月２８日付で拒絶理由が通知され、平成１５年１０月２日付で意見書並びに手続補正書が提出され、平成１５年１０月２４付で拒絶査定がなされ、平成１５年１１月２８日に審判請求がなされると同時に手続補正がなされたものである。　
　　　　　　　　　　　　　　　　　　　　　　　　　　　
２．平成１５年１１月２８日付の手続補正についての補正却下の決定　　　　　　　　　　　　　　　　　　　　　　　　　　　　　　　　
［補正却下の決定の結論］
　　平成１５年１１月２８日付の手続補正を却下する。
　　　　　　　　　　　　　　　　　　　　　　　　　　　
［理由］
（１）補正後の本願補正発明
　平成１５年１１月２８日付の手続補正により補正された特許請求の範囲の請求項１に係る発明は、平成１５年１０月２日付の手続補正により補正された特許請求の範囲の請求項１に記載された発明を特定するための事項の限定に相当するものであるから、平成１５年１１月２８日付の手続補正は、平成６年改正前特許法第１７条の２第４項第２号の規定に適合している。
　　　　　　　　　　　　　　　　　　　　　　　　　　　
　そして、平成１５年１１月２８日付の手続補正により補正された特許請求の範囲の請求項１に係る発明は、その請求項１において特定される下記のとおりのものである。
　　　　　　　　　　　　　　　　　　　　　　　　　　
　「パチンコ機裏面の遊技盤取付枠に装着される機構板に景品球タンクの景品球を景品球払出装置に供給するための傾斜樋および屈曲樋を固着し、該機構板の景品球払出樋に隣接するように球抜樋が形成され、該景品球払出樋の上部に景品球払出装置を組付けてなるパチンコ機において、景品球払出樋の下部および球抜樋の下部をカバーする裏板を設け、屈曲樋の表面に掛止片を回転自在に設け、裏側に仕切壁を一体に形成したプラスチック製の開閉蓋を前記裏板の上縁部に水平に設けられた枢支部に枢支し、該開閉蓋を上にはね上げ前記掛止片を回転させて該開閉蓋に掛止することにより、該開閉蓋が前記景品球払出装置および球抜樋の上部を被い、前記仕切壁が景品球払出樋と球抜樋とを区画するように構成したことを特徴とするパチンコ機。」（以下、「本願補正発明」という。）
　　　　　　　　　　　　　　　　　　　　　　　　　　　　　
（２）引用刊行物について
１）引用刊行物１について
　平成１５年７月２８日付の拒絶の理由に引用された実願昭５９−５６５９０号（実開昭６０−１６８８８０号）のマイクロフイルム（以下、「引用刊行物１」という。）には、以下の事項が図面とともに記載されている。
　　　　　　　　　　　　　　　　　　　　　　　　　　　　　　
・記載事項１
　「本考案は、パチンコ機に関するもので、更に詳しくはパチンコ機の背面部に装備される賞球ケース、セーフ球検出器等の機構部品類を合成樹脂で成形する機構枠体内に予じめ収納し、」（１頁１３行〜１６行）
　　　　　　　　　　　　　　　　　　　　　　　　　　　　　
・記載事項２
　「本考案はこの機構枠体に更に改良を加え、特に内蔵される上記賞球ケースに対し、その保持、点検の作業、部品類の装着、交換を更に円滑に行えるようにしたパチンコ機を提供せんとするものである。」（２頁９行〜１３行）　　
　　　　　　　　　　　　　　　　　　　　　　　　　　　　　　
・記載事項３
　「１は機枠体、２は機枠体に一側縁を蝶着して取付けた扉枠、３はこの扉枠の背面に固定した浅い箱形に形成してなる金属製の機構枠である。機構枠３の前面は開放してあり、内部に収める遊技板がこの開口部を通してパチンコ機の前面から覗けるようにしてあり、背面にはセーフ球を検出し制御するセーフ球検出器、賞球を放出する賞球ケースを始めとする諸種の機構部品類が装備される。」（２頁１７行〜３頁７行）
　　　　　　　　　　　　　　　　　　　　　　　　　　　　　
・記載事項４
　「４は、賞球ケース５に賞球を補給するためこれを貯留するタンクで、６はこの貯留タンク４から賞球ケース５に球を誘導する誘導樋を被うカバー、７は賞球ケース５と図示しないセーフ球検出器を内蔵する合成樹脂製の機構枠体、８はカバー６の一側下面に続けて縦方向に設けられる枠体９と上記機構枠体７に囲まれるちょうど前記図示しない遊技板の背後に設けられるセーフ球寄せ室を被う後カバーである。」（３頁８行〜１６行）
　　　　　　　　　　　　　　　　　　　　　　　　　　　　　
・記載事項５
　「機構枠体７は前後２枚の板１０、１１を間隔をあけて対設させ、この間に設けられる空間に賞球を誘導する２列の誘導樋１２、誘導樋に続けて定数個の賞球を貯留し、セーフ球の飛入に対応させてこれを放出する賞球ケース５、この賞球ケースから放出される球を機体前面に備える賞球皿に誘導する放出樋１３、この放出樋に沿って縦設される球抜き樋１４等が設けられ、更にその下方の部分には図示しないがセーフ球検出器が備えられる。賞球ケース５は誘導樋１２に続けて設けてあり、その下端開口部は賞球放出樋１３に臨ませ、常にはこの下端開口部を支軸１５を支点に揺動自由にしたストッパー部材１６で塞ぎ貯留した賞球の放出を止められるようにしてある。」（３頁１７行〜４頁１０行）
　　　　　　　　　　　　　　　　　　　　　　　　　　　　　
・記載事項６
　「上記ストッパー部材１６は揺動部材１７にピン１８を係合させることによって賞球ケースの下端開口部を塞ぎ、この揺動部材１７が図示しないセーフ球検出器の作動を伝える作動杆１９の押上げで支軸２０を支点に揺動したとき上記ピン１８を脱し賞球ケースを開放して貯留する賞球を放出樋に放出できるようにしてある。」（４頁１１行〜１７行）
　　　　　　　　　　　　　　　　　　　　　　　　　　　　　
・記載事項７
　「図中、２１は賞球ケース５を常時ストッパー部材１６側に寄り添うように付勢するバネで、２２はこのバネ２１の付勢でストッパー部材側に引かれ、下端開口部を放出樋１３に臨ませる賞球ケースの姿勢をその状態に拘束するストッパー杆であり、２３はこのストッパー杆の拘束を解いて賞球ケースを球抜き樋１４に開放するソレノイドであり、２４はこれらバネ２１、ストッパー杆２２、ソレノイド２３等を被覆するカバーである。」（４頁１８行〜５頁６行）
　　　　　　　　　　　　　　　　　　　　　　　　　　　　　
・記載事項８
　「ここに示したカバー２４はポリプロピレン等の揉軟な、弾性を有した熱可塑性合成樹脂を素材として成形してあり、前記バネ２１等を被う箱形に形成した本体部分の下端部に折曲げ可能な肉薄のヒンジ部２８を介して取付片２９を一体に備え、上端に近い内側面には機構枠体の板１０から起立させた係止用ボス３０を嵌合する嵌合部３１を同じく一体に備えている。」（５頁１２行〜１９行）
　　　　　　　　　　　　　　　　　　　　　　　　　　　　
・記載事項９
　「このカバーは上記取付片２９をビス３２で止めることによって板１０に固定し、ヒンジ部２８を折曲げることによって自由に開閉できるようになっており、常には嵌合部３１を係止用ボス３０に押付けこれをその懐３３に圧入する如く嵌め入れ、閉塞した状態に保持される。そして、ここでは不測にカバーが開放しないようにカバーの前面からボス３０の軸心に沿って設ける雌ネジ孔３４に止めビス３５を揉み込んで自由な開放を拘束している。」（５頁２０行〜６頁８行）
　　　　　　　　　　　　　　　　　　　　　　　　　　　　　　　　
・記載事項１０
　「本考案は、上述の様に構成されるもので、機構枠体内部に収まる賞球ケース５の付属の部品類中、球抜きの手段たるストッパー杆２２、ソレノイド２３等は機構枠体の板１０の表面に設けられるが、これらは常には開閉可能なカバー２４によって被覆されることから工場からの運搬途中において、或はホールにおいて使用中に不測の衝撃等を受けて損傷するような危険から有効に回避できる一方、このカバーは肉薄のヒンジ部２８を介して一体に備える取付片２９を以て機構枠体７に取付けられ、開閉に当ってはこのヒンジ部を折曲げ点として開閉動できることから容易であると共に、前記実施例で述べた通り上記取付片２９を下にして自由な上端を手前に引き出すことで開放できるようにした場合にはカバーの自重で開放姿勢が保持されることから賞球ケースの保守、点検或は部品類の交換作業の際、極めて好都合となる。」（６頁９行〜７頁５行）
　　　　　　　　　　　　　　　　　　　　　　　　　　　　　　　　
　以上の引用刊行物１の記載事項１〜記載事項１０の記載及び第１図〜第４図によれば、引用刊行物１には次の発明が記載されていると認められる。
　　　　　　　　　　　　　　　　　　　　　　　　　　　　　　
　「パチンコ機背面部の機構枠３に装備される機構枠体７にタンク４の賞球を、支軸１５、ストッパー部材１６、揺動部材１７、ピン１８、作動杆１９、および賞球ケース５等により構成される機構部品類に誘導するための誘導樋を固着し、機構枠体７の賞球放出樋１３に隣接するように球抜き樋１４が形成され、賞球放出樋１３にストッパー部材１６、揺動部材１７、作動杆１９等により貯留している賞球を賞球ケース５から放出するパチンコ機において、賞球放出樋１３の上部および球抜き樋１４の上部をカバーするプラスチック製のカバー２４を設け、カバー２４がストッパー部材１６、揺動部材１７、作動杆１９、賞球ケース５および球抜き樋１４を被覆したパチンコ機。」（以下、「引用刊行物１に記載された発明」という。）
　　　　　　　　　　　　　　　　　　　　　　　　　　　　　
２）引用刊行物２について
　平成１５年７月２８日付の拒絶の理由に引用された実願平２−４２６５２号（実開平４−３７７９号）のマイクロフイルム（以下、「引用刊行物２」という。）には、以下の事項が図面とともに記載されている。
　　　　　　　　　　　　　　　　　　　　　　　　　　　　　　
・記載事項１
　「また、機構板１０の後面側には、第１図に示すように、図示しない景品球補給機構から補給される景品球を所定量貯留することが可能な景品球タンク１３と、該景品球タンク１３に貯留された景品球を下流側に整列させながら誘導する景品球誘導樋１４と、該景品球誘導樋１４によって誘導された景品球を入賞球の発生に基づいて所定個数づつ区切って排出する景品球排出装置１５と、該景品球排出装置１５によって排出された景品球をパチンコ機１前面側に設けられる上皿又は下皿（いずれも図示しない）に誘導する景品球排出通路１６等が形成されている。」（７頁３行〜１４行）
　　　　　　　　　　　　　　　　　　　　　　　　　　　　　　
・記載事項２
　「第７図に示すようなカバー板３１であってもよい。このカバー板３１は、上記実施例のカバー板２２と同様に、そのほぼ中央に切欠開口３２が形成されると共に、下方を除く周縁部に補強壁３３が形成されているが、更に、カバー板３１の内面に通路形成突起３４が突設されている。この通路形成突起３４は、カバー板３１を遊技盤５の裏面に対応させたときに、遊技盤５に配置された入賞口や入賞装置からの入賞球を誘導する通路となるものであり、これにより、入賞球を所定の径路を経て入賞球集合樋１７へ落下させることができる。なお、カバー板３１の四隅には、前記カバー板２２の取付筒２５と同様な取付筒３５が形成されている。したがって、取付筒３５と機構板１０の取付ボス２６とによってカバー板３１を機構板１０に対して着脱自在とすることができる。」（１４頁２行〜１８行）
　　　　　　　　　　　　　　　　　　　　　　　　　　　　　　　　
・記載事項３
　「また、前記したカバー板３０に形成された通路形成突起３４によって構成される通路を直接遊技盤の裏面に構成した遊技盤であってもよい。」（１５頁４行〜７行）
　　　　　　　　　　　　　　　　　　　　　　　　　　　　　
　以上の引用刊行物２の記載事項１〜記載事項３の記載及び第１図〜第７図によれば、引用刊行物２には次の技術事項が記載されていると認められる。
　　　　　　　　　　　　　　　　　　　　　　　　　　　　　
　「パチンコ機の機構板１０に設けられた回動する係止レバー３０により、機構板１０に着脱自在に取り付けられ、内面に通路形成突起３４が設けられて、入賞球を誘導する通路を機構板１０とカバー板内面との間に形成したカバー板３１」（以下、「引用刊行物２に記載された技術事項」という。）
　　　　　　　　　　　　　　　　　　　　　　　　　　
（３）本願補正発明についての検討
１）引用刊行物１に記載された発明との対比
　引用刊行物１に記載された発明と本願補正発明を対比すると、引用刊行物１に記載された発明の「パチンコ機背面部」は本願補正発明の「パチンコ機裏面」に相当し、以下同様に、「機構枠３」は「遊技盤取付枠」、「装備」は「装着」、「機構枠体７」は「機構板」、「タンク４」は「景品球タンク」、「賞球放出樋１３」は「景品球払出樋」、「賞球」は「景品球」、「誘導する」は「供給する」、「球抜き樋１４」は「球抜樋」、「被覆した」は「被うようにした」にそれぞれ相当している。
　そして、引用刊行物１に記載された発明は、以下の構成を実質的に具備しているといえる。
　　　　　　　　　　　　　　　　　　　　　　　　　　　　　　
・実質的具備事項１
　引用刊行物１の記載事項４の「・・・６はこの貯留タンク４から賞球ケース５に球を誘導する誘導樋を被うカバー、・・・」、同記載事項５の「・・・この間に設けられる空間に賞球を誘導する２列の誘導樋１２、誘導樋に続けて定数個の賞球を貯留し、セーフ球の飛入に対応させてこれを放出する賞球ケース５、この賞球ケースから放出される球を機体前面に備える賞球皿に誘導する放出樋１３、この放出樋に沿って縦設される球抜き樋１４等が設けられ、更にその下方の部分には図示しないがセーフ球検出器が備えられる。賞球ケース５は誘導樋１２に続けて設けてあり、その下端開口部は賞球放出樋１３に臨ませ、常にはこの下端開口部を支軸１５を支点に揺動自由にしたストッパー部材１６で塞ぎ貯留した賞球の放出を止められるようにしてある。」、および同記載事項６の「上記ストッパー部材１６は揺動部材１７にピン１８を係合させることによって賞球ケースの下端開口部を塞ぎ、この揺動部材１７が図示しないセーフ球検出器の作動を伝える作動杆１９の押上げで支軸２０を支点に揺動したとき上記ピン１８を脱し賞球ケースを開放して貯留する賞球を放出樋に放出できるようにしてある。」なる記載に基づけば、支軸１５、ストッパー部材１６、揺動部材１７、ピン１８、作動杆１９、および賞球ケース５等により構成される機構部品類は、全体としてタンク４から誘導樋１２を介して、賞球を賞球ケース５に供給すると共に、賞球ケース５から貯留している賞球を賞球放出樋１３に放出する装置を構成していることは明らかなことであり、支軸１５、ストッパー部材１６、揺動部材１７、ピン１８、作動杆１９、および賞球ケース５等により構成される機構部品類は、全体として賞球放出装置を構成しているということができる。また、放出を払出といい換えるできることはいうまでもない。さらに、賞球ケース５から貯留している賞球を賞球放出樋１３に放出するのであるから、賞球放出樋１３の上部に賞球放出装置が組み付けられていることも明らかである。
　そして、（３）本願補正発明についての検討１）引用刊行物１に記載された発明との対比の冒頭で示したように、引用刊行物１に記載された発明の「賞球」「賞球放出樋１３」は、本願補正発明の「景品球」「景品球払出樋」に相当している。
　そうすると、引用刊行物１に記載された発明は、「景品球払出装置」を実質的に具備するとともに、「景品球払出装置の上部に景品球払出装置を組み付ける」構成を実質的に具備しているということができる。
　　　　　　　　　　　　　　　　　　　　　　　　　　　　　　
・実質的具備事項２
　上記実質的具備事項１において示した記載事項４、記載事項５、および記載事項６の記載並びに第２図に基づけば、誘導樋１２は、タンク４から賞球を導きつつ、景品ケース５の直前で屈曲した後、賞球ケース５に賞球を供給するものであるから、誘導樋１２は傾斜樋と屈曲樋を兼ね備えた樋といい換えることができることは明らかである。
　そして、（３）本願補正発明についての検討１）引用刊行物１に記載された発明との対比の冒頭で示したように、引用刊行物１に記載された発明の「景品タンク４」「賞球」「賞球放出樋１３」「誘導樋１２」は、本願補正発明の「景品球タンク」「景品球」「景品球払出樋」「傾斜樋と屈曲樋」に相当し、上記実質的具備事項１において示したように、引用刊行物１に記載された発明は、「景品球払出装置」を実質的に具備している。
　そうすると、引用刊行物１に記載された発明は、景品球タンクの景品球を景品払出装置に供給するための傾斜樋と屈曲樋を実質的に具備しているということができる。
　　　　　　　　　　　　　　　　　　　　　　　　　　　　　　　
　そこで、本願補正発明と引用刊行物１に記載された発明を対比すると、
　「パチンコ機裏面の遊技盤取付枠に装着される機構板に景品球タンクの景品球を景品球払出装置に供給するための傾斜樋および屈曲樋を固着し、機構板の景品球払出樋に隣接するように球抜樋が形成され、景品球払出樋の上部に景品球払出装置を組付けてなるパチンコ機において、景品球払出樋および球抜樋の上部をプラスチック製のカバー部材でカバーするようにしたパチンコ機。」の点で一致し、以下の点で相違している。
　　　　　　　　　　　　　　　　　　　　　　　　　　　　　　
＜相違点１＞ 
　カバー部材とそのカバー部材でカバーされる範囲が、本願補正発明においては、プラスチック製の開閉蓋と裏板で構成し、かつ、開閉蓋を裏板の上縁部に水平に設けられた枢支部に枢支し、開閉蓋を上にはね上げ、屈曲樋の表面に回転自在に設けた掛止片を回転させて開閉蓋に掛止することにより、景品球払出装置、景品球払出樋および球抜樋の上部を被うと共に、裏板で景品球払出樋の下部および玉抜樋の下部を被うものであるのに対して、引用刊行物１に記載された発明においては、一枚のプラスチック製のカバー２２で構成され、かつ、カバー２２を機構板に掛止することにより、景品球払出装置および球抜樋の上部のみを被うものである点
　　　　　　　　　　　　　　　　　　　　　　　　　　　　　　　
＜相違点２＞
　本願補正発明においては、開閉蓋が裏側に仕切壁を一体に形成して、その仕切壁が景品球払出樋と球抜樋とを区画するように構成したものであるのに対して、引用刊行物１に記載された発明においては、カバーにそのような仕切壁がない点
　　　　　　　　　　　　　　　　　　　　　　　　　　　
（４）判断
　上記相違点について検討する。
＜相違点１について＞
　一般的に、特開平２−７９８６号公報、特開平１−１９５８８１号号公報、特開平１−１９５８８０号公報等に見られるように、パチンコ機の機構板に取り付けられた屈曲樋、球抜樋、景品球払出樋、および景品球払出装置に対して、上部カバー部材で球抜樋の上部、景品球払出樋、および景品球払出装置を被覆し、下部カバー部材で景品球払出樋の下部と球抜樋の残りの部分である下部を被覆するとともに、上部カバーの枢支部に回動自在に枢支された開閉自在な蓋とすることは、周知な技術にすぎない（以下、「周知技術」という。）。また、別途、特公平１−１５３１４号公報には、パチンコ機の機構板に取り付けられた屈曲樋、球抜樋、景品球払出樋、および景品球払出装置に対して、上部カバー部材で球抜樋の上部、景品球払出樋、および景品球払出装置を被覆し、下部カバー部材で景品球払出樋の下部と球抜樋の残りの部分である下部を被覆するとともに、上部カバーを取り外し自在な蓋にすることが示されていることを参考のために示しておく。
　以上のとおり、上記周知技術の上部カバー部材および下部カバー部材は、上部カバー部材の開閉蓋が球抜樋の上部と景品球払出装置をカバーしているものであり、下部カバー部材が景品球払出樋の下部と球抜樋の残りの部分である下部をカバーしていることは明らかであるから、上記周知技術の「開閉蓋」と「下部カバー部材」は、本願補正発明の「開閉蓋」と「裏板」といい換えることができることは明らかである。
　さらに、開閉する蓋を水平な回動軸に枢止するか垂直な回動軸に枢止するか、および、開閉する蓋を掛止する掛止片を開閉する蓋側に設けるか掛止する側の部材に設けるかは、いずれの側に回動軸と掛止片を設けても、蓋の開閉並びに蓋を掛止し得る点で両者とも格別な相違がないから、当業者が必要に応じて設計できる程度の技術事項に過ぎない。
　そうすると、上記周知技術を参酌しつつ、引用刊行物１に記載された発明のカバーを、上部カバー部材としての開閉蓋と下部カバー部材としての裏板とし、かつ、上部カバー部材としての開閉蓋を下部カバー部材としての裏板の上縁部に水平に設けられた枢支部に枢支し、開閉蓋を上にはね上げ、屈曲樋の表面に回転自在に設けた掛止片を回転させて開閉蓋に掛止することにより、上部カバー部材としての開閉蓋が景品球払出装置、景品球払出樋および球抜樋の上部を被うようにすると共に、下部カバー部材としての裏板により景品球払出樋の下部および玉抜樋の下部を被うようにすること、すなわち上記相違点１に係る構成となすことは、当業者が容易になし得る程度の技術事項に過ぎないということができる。
　　　　　　　　　　　　　　　　　　　　　　　　　　　　　　
　なお、請求人は、「引用文献１に示されたパチンコ機のカバー２４は、ソレノイド２３、バネ２１、ストッパー杆２２を被うものであるので、このカバー２４を開放しても板１０に隔てられてストッパー部材１６、賞球ケース５、賞球放出樋１３、球抜き樋１４等に手指を到達することはできず、景品球払出樋と球抜樋とを区画している隔壁も勿論何ら変化をもたらすものではありません。このため、引用文献１ではカバー２４を開放しても依然として隔壁が賞球ケースの側面に位置しており、景品球払出装置の正面からの作業が限定され、異常個所の確認が困難であるばかりか、指や工具等を差し込むのに十分なスペースが確保できず、作業性が悪いことは明らかです。」と主張しているが、上記周知技術に示したように、パチンコ機の機構板の景品球払出樋、景品球払出装置や球抜樋を開閉蓋付きの上部カバー部材と下部カバー部材で被い、上部カバー部材の開閉蓋を開閉して、景品球払出装置の交換や球詰まりの解消作業を行うことが周知技術に過ぎないことは明らかであり、また、下記相違点２において示す理由により、景品球払出樋と球抜樋とを区画している隔壁を引用刊行物１に記載された発明のカバーに適用することが容易になし得る程度のことであるから、請求人の上記主張は採用できない。
　　　　　　　　　　　　　　　　　　　　　　　　　　
＜相違点２について＞
　引用刊行物２の記載事項１の「また、機構板１０の後面側には、・・・景品球を所定量貯留することが可能な景品球タンク１３と、該景品球タンク１３に貯留された景品球を下流側に整列させながら誘導する景品球誘導樋１４と、該景品球誘導樋１４によって誘導された景品球を入賞球の発生に基づいて所定個数づつ区切って排出する景品球排出装置１５と、該景品球排出装置１５によって排出された景品球をパチンコ機１前面側に設けられる上皿又は下皿（いずれも図示しない）に誘導する景品球排出通路１６等が形成されている。」なる記載および同記載事項２の「第７図にしめすようなカバー板３１であってもよい。このカバー板３１は、・・・カバー板３１の内面に通路形成突起３４が突設されている。この通路形成突起３４は、カバー板３１を遊技盤５の裏面に対応させたときに、遊技盤５に配置された入賞口や入賞装置からの入賞球を誘導する通路となるものであり、これにより、入賞球を所定の経路を経て入賞球集合樋１７へ落下させることができる。・・・したがって、取付筒３５と機構板１０の取付ボス２６とによってカバー板３１を機構板１０に対して着脱自在とすることができる。」なる記載並びに第１図と第７図に基づけば、引用刊行物２に記載された技術事項の「機構板１０」「係止レバー３０」「内面」「通路形成突起３４」「入賞球」は、それら各構成要素の果たす機能から見て、本願補正発明の「機構板」「掛止片」「内側」「仕切壁」「景品球」に相当していることは明らかである。
　したがって、引用刊行物２には以下の発明が記載されているということができる。
　「パチンコ機の機構板に設けられた回動する掛止片により、機構板に着脱自在に取り付けられ、内側に仕切壁が設けられて、景品球を誘導する通路を機構板と裏板の内側との間に形成したカバー板」（以下、「引用刊行物２に記載された発明」という。）
　そして、引用刊行物１に記載された発明および引用刊行物２に記載された発明はともにパチンコ機の機構板において入賞球や賞球のための通路や樋をカバーする技術で関連するのであるから、相互に利用することに格別の困難性はない。
　そうすると、上記周知技術を参酌しつつ、引用刊行物１に記載された発明のカバーを、上部カバー部材としての開閉蓋と下部カバー部材としての裏板とし、かつ、上部カバー部材としての開閉蓋を下部カバー部材としての裏板の上縁部に水平に設けられた枢支部に枢支し、開閉蓋を上にはね上げ、屈曲樋の表面に回転自在に設けた掛止片を回転させて開閉蓋に掛止することにより、上部カバー部材としての開閉蓋が景品球払出装置、景品球払出樋および球抜樋の上部を被うようにすると共に、下部カバー部材としての裏板が景品球払出樋の下部および玉抜樋の下部を被うようにする際に、引用刊行物２に記載された発明のカバー板の内側に仕切壁を設けて機構板とカバーの内側との間に景品球を誘導する通路を形成する点を採用して、プラスチック製の開閉蓋の裏側に仕切壁を一体に形成して、その仕切壁が景品球払出樋と球抜樋とを区画するようにすること、すなわち上記相違点２に係る構成となすことは、当業者が容易になし得る程度の技術事項に過ぎないということができる。
　　　　　　　　　　　　　　　　　　　　　　　　　　　　　　　　
　なお、請求人は、「引用文献２の図７に示されたカバー板３１について、カバー板３１に形成された通路形成突起３４によって構成される通路を直接遊技盤の裏面に形成した遊技盤であってもよいと記載されていますが、このカバー板３１は遊技盤５の裏面を被うものであり、景品球払出樋や球抜樋を被うものではありません。従って、このカバー板３１は、本願発明における開閉蓋に相当するものでなく、開放することにより球詰まりを解消できるものでもありません。」と主張しているが、上記周知技術において示したように、パチンコ機の機構板の景品球払出樋、景品球払出装置や球抜樋を開閉蓋付きの上部カバー部材と下部カバー部材で被い、かつ、上部カバー部材の開閉蓋を開閉して、景品球払出装置の交換や球詰まりの解消作業を行うことが周知技術にすぎないのであるから、請求人の上記主張は採用できない。
　　　　　　　　　　　　　　　　　　　　　　　　　　　
　以上のとおり、本願補正発明は、引用刊行物１に記載された発明および引用刊行物２に記載された発明並びに周知技術に基づいて、当業者が容易に発明できたものである。
　　　　　　　　　　　　　　　　　　　　　　　　　　　　　
（５）作用効果
　本願補正発明によって奏する効果も、引用刊行物１に記載された発明および引用刊行物２に記載された発明並びに周知技術に基づいて、普通に予測できる範囲内のものであって格別のものがあるとは認められない。
　　　　　　　　　　　　　　　　　　　　　　　　　　　　　
（６）むすび
　上記のとおりであるので、本願補正発明は、引用刊行物１に記載された発明および引用刊行物２に記載された発明並びに周知技術に基づいて、当業者が容易に発明をすることができたものであり、特許法第２９条第２項により特許を受けることができないものである。
　　　　　　　　　　　　　　　　　　　　　　　　　　　　　
（７）補正却下の判断
　以上のとおり、本願補正発明は、平成６年改正前特許法第１７条の２第５項で準用する同法第１２６条第４項の規定に違反するものであるので、平成１５年１１月２８日付の手続補正は、同法第１５９条第１項で準用する同法第５３条第１項の規定により却下されるべきものである。
　　　　　　　　　　　　　　　　　　　　　　　　　　　　　　
３．本願発明について
　平成１５年１１月２８日付の手続補正は上記のとおり却下されているので、平成１５年１０月２日付の手続補正書における特許請求の範囲の請求項１に係る発明は、その請求項１において特定される以下のものである。
　　　　　　　　　　　　　　　　　　　　　　　　　　　　　　
　「景品球払出樋に隣接するように球抜樋が形成され該景品球払出樋の上部に景品球払出装置を組付けてなる機構板をパチンコ機裏面の遊技盤取付枠に装着したパチンコ機において、景品球払出樋の下部および球抜樋の下部をカバーする裏板を設けると共に、裏側に仕切壁が一体に形成されたプラスチック製の開閉蓋を前記裏板の上縁部に水平に設けられた枢支部に枢支し、該開閉蓋を上にはね上げて掛止片を該開閉蓋上に掛止することにより該開閉蓋が前記景品球払出装置および球抜樋の上部を被い、前記仕切壁が景品球払出樋と球抜樋とを区画するように構成したことを特徴とするパチンコ機。」（以下、「本願発明」という。）
　　　　　　　　　　　　　　　　　　　　　　　　　　　
（１）引用刊行物について
　引用刊行物の記載およびそれら記載事項は、上記２．（２）引用刊行物についてに記載したとおりである。
　　　　　　　　　　　　　　　　　　　　　　　　　　
（２）対比・判断
　本願発明は、上記２．（４）判断で検討した本願補正発明の構成要件の中の機構板において、機構板を修飾する「パチンコ機裏面の遊技盤取付枠に装着される機構板に景品球タンクの景品球を景品球払出装置に供給するための傾斜樋および屈曲樋を固着し」を削除し、かつ、「屈曲樋の表面に掛止片を回転自在に設け」なる構成要件を削除したものである。
　そうすると、本願発明の構成要件をすべて含み、さらに他の構成要件を付加したものに相当する本願補正発明が、上記２．（２）引用刊行物について〜（６）むすびに記載したとおり、引用刊行物１に記載された発明および引用刊行物２に記載された発明並びに周知技術に基づいて、当業者が容易に発明することができたものであるので、特許法第２９条第２項の規定により特許を受けることができないものであるから、本願発明も、同様の理由により、引用刊行物１に記載された発明および引用刊行物２に記載された発明並びに周知技術に基づいて、当業者が容易に発明をすることができたものである。
　　　　　　　　　　　　　　　　　　　　　　　　　　
（３）むすび
　以上のとおり、本願発明は、引用刊行物１に記載された発明および引用刊行物２に記載された発明並びに周知技術に基づいて、当業者が容易に発明をすることができたものであるから、特許法第２９条第２項の規定により特許を受けることができない。
　よって、結論のとおり審決する。